(57)【要約】【課題】車両の走行状態がエネルギ効率的に良好な状態にあるか否かをより適切に判定すると共に簡易な構成により判定する。【解決手段】アクセルペダルポジションセンサからのアクセル開度Ａｃｃが車速センサからの車速Ｖに基づいて設定された第１開度閾値Ａｒｅｆ１未満のときにはＥＣＯインジケータを点灯し（Ｓ１４０，Ｓ１８０）、アクセル開度Ａｃｃが車速Ｖに基いて設定され第１開度閾値Ａｒｅｆ１より大きな第２開度閾値Ａｒｅｆ２以上のときにはＥＣＯインジケータを消灯し（Ｓ１４０，Ｓ２００）、アクセル開度Ａｃｃが第１開度閾値Ａｒｅｆ１以上で且つ第２開度閾値Ａｒｅｆ２未満のときにはアクセル開速度Ｖａが車速Ｖに基づいて設定された開速度閾値Ｖａｒｅｆ未満か否かによりＥＣＯインジケータ７１を点灯または消灯する（Ｓ１４０，Ｓ１７０〜Ｓ２００）。【選択図】図２
2008055949.tif 000002
【特許請求の範囲】
【請求項１】
アクセル操作量を検出するアクセル操作量検出手段と、
車速を検出する車速検出手段と、
前記検出したアクセル操作量の変化量が前記検出された車速に基づく閾値未満であるときにアクセル操作の状態が良好であると判定するアクセル操作状態判定手段と、
前記検出されたアクセル操作量が第１操作量未満のときには車両の走行状態がエネルギ効率的に良好である良好状態にあると判定し、前記検出されたアクセル操作量が前記第１操作量より大きな第２操作量以上のときには車両の走行状態がエネルギ効率的に良好でない不良状態にあると判定し、前記検出されたアクセル操作量が前記第１操作量以上で且つ前記第２操作量未満のときに前記アクセル操作状態判定手段によりアクセル操作の状態が良好であると判定されたときには車両の走行状態が前記良好状態にあると判定し、前記検出されたアクセル操作量が前記第１操作量以上で且つ前記第２操作量未満のときに前記アクセル操作状態判定手段によりアクセル操作の状態が良好であると判定されないときには車両の走行状態が前記不良状態にあると判定する走行状態判定手段と、
前記走行状態判定手段による判定結果を乗員に報知する報知手段と、
を備える車両。
【請求項２】
前記走行状態判定手段は、前記検出されたアクセル操作量が前記第２の操作量以上の状態から前記第１操作量以上で且つ前記第２操作量未満となったときには、車両の走行状態が前記不良状態であるのを維持する手段である請求項１記載の車両。
【請求項３】
アクセル操作量を検出するアクセル操作量検出手段と、
車速を検出する車速検出手段と、
前記検出したアクセル操作量の変化量が前記検出された車速に基づく閾値未満であるときにアクセル操作の状態が良好であると判定するアクセル操作状態判定手段と、
前記アクセル操作状態判定手段によりアクセル操作の状態が良好でないと判定されたときには前記検出されたアクセル操作量が第１操作量に至るまでは車両の走行状態がエネルギ効率的に良好である良好状態と判定し、前記アクセル操作状態判定手段によりアクセル操作の状態が良好であると判定されたときには前記検出されたアクセル操作量が前記第１操作量より大きな第２操作量に至るまでは車両の走行状態が前記良好状態と判定する走行状態判定手段と、
前記走行状態判定手段による判定結果を乗員に報知する報知手段と、
を備える車両。
【請求項４】
前記アクセル操作状態判定手段は、車速が大きいほど小さな値の閾値を用いてアクセル操作の状態を判定する手段である請求項１ないし３いずれか記載の車両。
【請求項５】
前記検出された車速に基づいて前記第１操作量と前記第２操作量とを設定する操作量設定手段を備える請求項１ないし４いずれか記載の車両。
【請求項６】
前記操作量設定手段は、車速が大きいほど大きくなる傾向に前記第１操作量と前記第２操作量とを設定する請求項５記載の車両。
【請求項７】
前記報知手段は、運転席前方の点灯可能な表示部を有し、前記良好状態判定手段により良好状態と判定されているときには前記表示部を点灯し、前記良好状態判定手段により良好状態ではないと判定されているときには前記表示部を消灯する手段である請求項１ないし６いずれか記載の車両。
【請求項８】
車両の走行状態がエネルギ効率的に良好な良好状態にあるか不良な不良状態にあるかを乗員室に取り付けられたインジケータを点灯したり消灯したりすることにより乗員に報知する際の前記良好状態にあるか前記不良状態にあるかを判定する走行状態判定方法であって、
アクセル操作量が第１操作量未満のときには車両の走行状態が前記良好状態にあると判定し、アクセル操作量が前記第１操作量より大きな第２操作量以上のときには車両の走行状態が前記不良状態にあると判定し、アクセル操作量が前記第１操作量以上で且つ前記第２操作量未満のときにアクセル操作量の変化量が車速に基づく閾値未満であるアクセル操作良好状態にあるときには車両の走行状態が前記良好状態にあると判定し、アクセル操作量が前記第１操作量以上で且つ前記第２操作量未満のときに前記アクセル操作良好状態にないときには車両の走行状態が前記不良状態にあると判定する、
ことを特徴とする走行状態判定方法。
【請求項９】
車両の走行状態がエネルギ効率的に良好な良好状態にあるか不良な不良状態にあるかを乗員室に取り付けられたインジケータを点灯したり消灯したりすることにより乗員に報知する際の前記良好状態にあるか前記不良状態にあるかを判定する走行状態判定方法であって、
アクセル操作量の変化量が車速に基づく閾値以上であるアクセル操作不良状態にあるときにはアクセル操作量が第１操作量に至るまでは車両の走行状態が前記良好状態と判定し、前記アクセル操作不良状態にないときにはアクセル操作量が前記第１操作量より大きな第２操作量に至るまでは車両の走行状態が前記良好状態と判定する、
ことを特徴とする走行状態判定方法。
【発明の詳細な説明】
【技術分野】
【０００１】
本発明は、車両およびその走行状態判定方法に関し、詳しくは、車両の走行状態がエネルギ効率的に良好な状態にあるか否かを判定する車両およびその判定方法に関する。
【背景技術】
【０００２】
従来、この種の車両としては、アクセルペダルの踏込み量や踏込み速度，踏込み加速度などを検出演算する共に車速や車速変化，エンジン運転状態，勾配などと照合して、車両の加速度目標値を取得し、この加速度目標値とアクセルペダルの踏込み量とを比較して得られた誤差を車両内表示器に表示するものが提案されている（例えば、特許文献１参照）。この車両では、多様なセンサや情報源からの情報を用いてアクセル操作が適切か否かを判定し、その判定結果を運転者に表示している。
【特許文献１】特開２００２−３７０５６０号公報
【発明の開示】
【発明が解決しようとする課題】
【０００３】
しかしながら、上述の車両では、多様なセンサや情報源からの情報を用いてアクセル操作が適切か否かを判定するものの、これらの多様な情報を具体的にどのように用いて判定しているかについては明確にされていない。また、多様なセンサや情報源からの情報を用いるため、判定方法が複雑になってしまう。
【０００４】
本発明の車両およびその走行状態判定方法は、車両の走行状態がエネルギ効率的に良好な状態にあるか否かをより適切に判定することを目的の一つとする。また、本発明の車両およびその走行状態判定方法は、車両の走行状態がエネルギ効率的に良好な状態にあるか否かを簡易な構成により判定することを目的の一つとする。
【課題を解決するための手段】
【０００５】
本発明の車両およびその良好状態判定方法は、上述の目的の少なくとも一部を達成するために以下の手段を採った。
【０００６】
本発明の第１の車両は、
アクセル操作量を検出するアクセル操作量検出手段と、
車速を検出する車速検出手段と、
前記検出したアクセル操作量の変化量が前記検出された車速に基づく閾値未満であるときにアクセル操作の状態が良好であると判定するアクセル操作状態判定手段と、
前記検出されたアクセル操作量が第１操作量未満のときには車両の走行状態がエネルギ効率的に良好である良好状態にあると判定し、前記検出されたアクセル操作量が前記第１操作量より大きな第２操作量以上のときには車両の走行状態がエネルギ効率的に良好でない不良状態にあると判定し、前記検出されたアクセル操作量が前記第１操作量以上で且つ前記第２操作量未満のときに前記アクセル操作状態判定手段によりアクセル操作の状態が良好であると判定されたときには車両の走行状態が前記良好状態にあると判定し、前記検出されたアクセル操作量が前記第１操作量以上で且つ前記第２操作量未満のときに前記アクセル操作状態判定手段によりアクセル操作の状態が良好であると判定されないときには車両の走行状態が前記不良状態にあると判定する走行状態判定手段と、
前記走行状態判定手段による判定結果を乗員に報知する報知手段と、
を備えることを要旨とする。
【０００７】
この本発明の第１の車両では、アクセル操作量が第１操作量未満のときには車両の走行状態がエネルギ効率的に良好である良好状態にあると判定して乗員に報知し、アクセル操作量が第１操作量より大きな第２操作量以上のときには車両の走行状態がエネルギ効率的に良好でない不良状態にあると判定して乗員に報知する。そして、アクセル操作量が第１操作量以上で且つ第２操作量未満のときには、アクセル操作量の変化量が車速に基づく閾値未満であれば車両の走行状態が良好状態にあると判定して乗員に報知し、アクセル操作量の変化量が車速に基づく閾値以上であれば車両の走行状態が不良状態にあると判定して乗員に報知する。運転者がゆっくりとしたアクセル操作を行なったときには、アクセル操作量が大き過ぎることがなければ車両の走行状態はエネルギ効率的に良好な状態にある。従って、こうした運転者がゆっくりとしたアクセル操作を行なったとき、即ち、アクセル操作量の変化量が小さいときには、比較的大きな閾値をもって車両の走行状態が良好状態にあるか不良状態にあるかを判定することができる。一方、運転者が急増するアクセル操作を行なったときには、アクセル操作量が小さくなければ車両は急加速が要求されていることとなり、車両の走行状態はエネルギ効率的に不良な状態となる。従って、運転者が急増するアクセル操作を行なったとき、即ち、アクセル操作量の変化量が大きいときには、比較的小さな閾値をもって車両の走行状態が良好状態にあるか不良状態にあるかを判定することができる。本発明の車両では、こうしたことに基づいて車両の走行状態が良好状態にあるか不良状態にあるかを判定しているのである。従って、車両の走行状態が良好状態にあるか不良状態にあるかより適切に判定して乗員に報知することができる。しかも、アクセル操作量と車速のみにより車両の走行状態が良好状態にあるか不良状態にあるか判定するから、簡易な構成とすることができる。
【０００８】
こうした本発明の第１の車両において、前記走行状態判定手段は、前記検出されたアクセル操作量が前記第２の操作量以上の状態から前記第１操作量以上で且つ前記第２操作量未満となったときには、車両の走行状態が前記不良状態であるのを維持する手段であるものとすることもできる。
【０００９】
本発明の第２の車両は、
アクセル操作量を検出するアクセル操作量検出手段と、
車速を検出する車速検出手段と、
前記検出したアクセル操作量の変化量が前記検出された車速に基づく閾値未満であるときにアクセル操作の状態が良好であると判定するアクセル操作状態判定手段と、
前記アクセル操作状態判定手段によりアクセル操作の状態が良好でないと判定されたときには前記検出されたアクセル操作量が第１操作量に至るまでは車両の走行状態がエネルギ効率的に良好である良好状態と判定し、前記アクセル操作状態判定手段によりアクセル操作の状態が良好であると判定されたときには前記検出されたアクセル操作量が前記第１操作量より大きな第２操作量に至るまでは車両の走行状態が前記良好状態と判定する走行状態判定手段と、
前記走行状態判定手段による判定結果を乗員に報知する報知手段と、
を備えることを要旨とする。
【００１０】
この本発明の第２の車両では、アクセル操作量の変化量が車速に基づく閾値以上となるアクセル操作の状態が良好でないときには、アクセル操作量が第１操作量に至るまでは車両の走行状態がエネルギ効率的に良好である良好状態と判定して乗員に報知し、アクセル操作の状態が良好であるときにはアクセル操作量が第１操作量より大きな第２操作量に至るまでは車両の走行状態が良好状態と判定して乗員に報知する。運転者のゆっくりとしたアクセル操作に対しては比較的大きな閾値をもって車両の走行状態に良否の判定を行なうことができることや運転者の急増するアクセル操作に対しては比較的小さい閾値をもって車両の走行状態に良否の判定を行なうことができることについては、上述の本発明の第１の車両における説明と同様である。従って、本発明の第２の車両でも、車両の走行状態が良好状態にあるか不良状態にあるかより適切に判定して乗員に報知することができる。しかも、アクセル操作量と車速のみにより車両の走行状態が良好状態にあるか不良状態にあるか判定するから、簡易な構成とすることができる。
【００１１】
本発明の第１または第２の車両において、前記アクセル操作状態判定手段は、車速が大きいほど小さな値の閾値を用いてアクセル操作の状態を判定する手段であるものとすることもできる。即ち、発進時など車速が小さいときにはアクセル操作がある程度急増するのを許容し、中速走行中の加速時など車速が大きいときにはゆっくりとしたアクセル操作しか許容しないで、アクセル操作の状態を判定する。この結果、アクセル操作の状態が良好であるか否かをより適切に判定することができる。
【００１２】
また、本発明の第１または第２の車両において、前記検出された車速に基づいて前記第１操作量と前記第２操作量とを設定する操作量設定手段を備えるものとすることもできる。この場合、前記操作量設定手段は、車速が大きいほど大きくなる傾向に前記第１操作量と前記第２操作量とを設定する手段であるものとすることもできる。こうすれば、車速が大きいときには比較的大きなアクセル操作量でも車両の走行状態が不良状態にあると判定されるのを抑制することができる。
【００１３】
あるいは、本発明の第１または第２の車両において、前記報知手段は、運転席前方の点灯可能な表示部を有し、前記良好状態判定手段により良好状態と判定されているときには前記表示部を点灯し、前記良好状態判定手段により良好状態ではないと判定されているときには前記表示部を消灯する手段であるものとすることもできる。こうすれば、車両の走行状態が良好状態にあるか不良状態にあるかの判定結果を運転者に視覚的に報知することができる。
【００１４】
本発明の第１の走行状態判定方法は、
車両の走行状態がエネルギ効率的に良好な良好状態にあるか不良な不良状態にあるかを乗員室に取り付けられたインジケータを点灯したり消灯したりすることにより乗員に報知する際の前記良好状態にあるか前記不良状態にあるかを判定する走行状態判定方法であって、
アクセル操作量が第１操作量未満のときには車両の走行状態が前記良好状態にあると判定し、アクセル操作量が前記第１操作量より大きな第２操作量以上のときには車両の走行状態が前記不良状態にあると判定し、アクセル操作量が前記第１操作量以上で且つ前記第２操作量未満のときにアクセル操作量の変化量が車速に基づく閾値未満であるアクセル操作良好状態にあるときには車両の走行状態が前記良好状態にあると判定し、アクセル操作量が前記第１操作量以上で且つ前記第２操作量未満のときに前記アクセル操作良好状態にないときには車両の走行状態が前記不良状態にあると判定する、
ことを特徴とする。
【００１５】
この本発明の第１の走行状態判定方法では、アクセル操作量が第１操作量未満のときには車両の走行状態がエネルギ効率的に良好である良好状態にあると判定して乗員に報知し、アクセル操作量が第１操作量より大きな第２操作量以上のときには車両の走行状態がエネルギ効率的に良好でない不良状態にあると判定して乗員に報知する。そして、アクセル操作量が第１操作量以上で且つ第２操作量未満のときには、アクセル操作量の変化量が車速に基づく閾値未満であれば車両の走行状態が良好状態にあると判定して乗員に報知し、アクセル操作量の変化量が車速に基づく閾値以上であれば車両の走行状態が不良状態にあると判定して乗員に報知する。運転者のゆっくりとしたアクセル操作に対しては比較的大きな閾値をもって車両の走行状態に良否の判定を行なうことができることや運転者の急増するアクセル操作に対しては比較的小さい閾値をもって車両の走行状態に良否の判定を行なうことができることについては、上述の本発明の第１の車両における説明と同様である。従って、本発明の第１の走行状態判定方法でも、車両の走行状態が良好状態にあるか不良状態にあるかより適切に判定して乗員に報知することができる。しかも、アクセル操作量と車速のみにより車両の走行状態が良好状態にあるか不良状態にあるか判定するから、簡易な構成とすることができる。
【００１６】
本発明の第２の走行状態判定方法は、
車両の走行状態がエネルギ効率的に良好な良好状態にあるか不良な不良状態にあるかを乗員室に取り付けられたインジケータを点灯したり消灯したりすることにより乗員に報知する際の前記良好状態にあるか前記不良状態にあるかを判定する走行状態判定方法であって、
アクセル操作量の変化量が車速に基づく閾値以上であるアクセル操作不良状態にあるときにはアクセル操作量が第１操作量に至るまでは車両の走行状態が前記良好状態と判定し、前記アクセル操作不良状態にないときにはアクセル操作量が前記第１操作量より大きな第２操作量に至るまでは車両の走行状態が前記良好状態と判定する、
ことを特徴とする。
【００１７】
この本発明の第２の走行状態判定方法では、アクセル操作量の変化量が車速に基づく閾値以上となるアクセル操作の状態が良好でないときには、アクセル操作量が第１操作量に至るまでは車両の走行状態がエネルギ効率的に良好である良好状態と判定して乗員に報知し、アクセル操作の状態が良好であるときにはアクセル操作量が第１操作量より大きな第２操作量に至るまでは車両の走行状態が良好状態と判定して乗員に報知する。運転者のゆっくりとしたアクセル操作に対しては比較的大きな閾値をもって車両の走行状態に良否の判定を行なうことができることや運転者の急増するアクセル操作に対しては比較的小さい閾値をもって車両の走行状態に良否の判定を行なうことができることについては、上述の本発明の第１の車両における説明と同様である。従って、本発明の第２の走行状態判定方法でも、車両の走行状態が良好状態にあるか不良状態にあるかより適切に判定して乗員に報知することができる。しかも、アクセル操作量と車速のみにより車両の走行状態が良好状態にあるか不良状態にあるか判定するから、簡易な構成とすることができる。
【発明を実施するための最良の形態】
【００１８】
次に、本発明を実施するための最良の形態を実施例を用いて説明する。
【実施例】
【００１９】
図１は、本発明の一実施例としての自動車２０の構成の概略を示す構成図である。実施例の自動車２０は、図示するように、エンジン２２からの動力をオートマチックトランスミッション２４により変速して駆動軸３２とデファレンシャルギヤ３３とを介して駆動輪３４ａ，３４ｂに出力して走行する自動車として構成されており、乗員室７０に取り付けられたＥＣＯインジケータ７１と、車両全体を制御するメイン電子制御ユニット５０とを備える。
【００２０】
ＥＣＯインジケータ７１は、乗員室７０の運転席前方に取り付けられたコンビネーションメータに他の各種インジケータと共に組み込まれており、車両の走行状態がエネルギ効率的に良好であるか否かをＥＣＯの文字を点灯したり消灯したりすることにより運転者に報知する。
【００２１】
メイン電子制御ユニット５０は、ＣＰＵ５２を中心とするマイクロプロセッサとして構成されており、ＣＰＵ５２の他に処理プログラムを記憶するＲＯＭ５４と、データを一時的に記憶するＲＡＭ５６と、図示しない入出力ポートとを備える。メイン電子制御ユニット５０には、シフトレバー６１の操作位置を検出するシフトポジションセンサ６２からのシフトポジションＳＰやアクセルペダル６３の踏み込み量を検出するアクセルペダルポジションセンサ６４からのアクセル開度Ａｃｃ，ブレーキペダル６５の踏み込み量を検出するブレーキペダルポジションセンサ６６からのブレーキペダルポジションＢＰ，イグニッションスイッチ６７からのイグニッション信号，車速センサ６８からの車速Ｖ，エンジン２２の状態を検出する種々のセンサからの信号，オートマチックトランスミッション２４の状態を検出する種々のセンサからの信号などが入力ポートを介して入力されている。メイン電子制御ユニット５０からは、エンジン２２を制御するための各種制御信号やオートマチックトランスミッション２４を制御するための各種制御信号などが出力ポートを介して出力されている。
【００２２】
次に、こうして構成された実施例の自動車２０の動作、特に車両の走行状態がエネルギ効率的に良好な状態にあるか否かを判定して乗員に報知する際の動作について説明する。図２は、メイン電子制御ユニット５０のＣＰＵ５２により実行される走行状態判定処理ルーチンの一例を示すフローチャートである。このルーチンは、所定時間毎に（例えば数十ｍｓｅｃ毎）に繰り返し実行される。
【００２３】
走行状態判定処理ルーチンが実行されると、メイン電子制御ユニット５０のＣＰＵ５２は、まず、アクセルポジションセンサ６４からのアクセル開度Ａｃｃや車速センサ６７からの車速Ｖなど判定処理に必要なデータを入力し（ステップＳ１００）、入力した車速Ｖに基づいて第１開度閾値Ａｒｅｆ１と第２開度閾値Ａｒｅｆ２とを設定する処理を実行する（ステップＳ１１０）。ここで、第１開度閾値Ａｒｅｆ１は、アクセルペダル６３が如何に急に踏み込まれてもアクセル開度Ａｃｃが十分小さいために車両の走行状態がエネルギ効率的に良好な状態にあるか否かを判定するための閾値であり、第２開度閾値Ａｒｅｆ２は、アクセルペダル６３が如何にゆっくりと踏み込まれてもアクセル開度Ａｃｃが大き過ぎるために車両の走行状態がエネルギ効率的に良好でない状態にあるか否かを判定するための第１開度閾値Ａｒｅｆ１より大きな閾値である。第１開度閾値Ａｒｅｆ１および第２開度閾値Ａｒｅｆ２の設定は、実施例では、車速Ｖと第１開度閾値Ａｒｅｆ１および第２開度閾値Ａｒｅｆ２との関係を予め定めて開度閾値設定用マップとしてＲＯＭ５４に予め記憶しておき、車速Ｖが与えられると記憶したマップから対応する第１開度閾値Ａｒｅｆ１および第２開度閾値Ａｒｅｆ２を導出して行なうものとした。図３に開度閾値設定用マップの一例を示す。図示するように、第１開度閾値Ａｒｅｆ１および第２開度閾値Ａｒｅｆ２は、車速Ｖが大きいほど大きくなる傾向に定められている。これは、車速Ｖが大きいほど車両に要求される動力が大きくなることに基づく。
【００２４】
続いて、アクセル開度Ａｃｃから前回本ルーチンを実行したときに入力したアクセル開度Ａｃｃを引いたものをアクセル開速度Ｖａとして計算し（ステップＳ１２０）、車速Ｖに基づいて開速度閾値Ｖａｒｅｆを設定する（ステップＳ１３０）。ここで、開速度閾値Ｖａｒｅｆは、アクセル開速度Ｖａの大小すなわちアクセルペダル６３の踏み込みが急増するよう行なわれているかゆっくりと行なわれているかによりアクセル操作が良好か否かを判定するための閾値である。開速度閾値Ｖａｒｅｆの設定は、実施例では、車速Ｖと開速度閾値Ｖａｒｅｆとの関係を予め定めて開速度閾値設定用マップとしてＲＯＭ５４に記憶しておき、車速Ｖが与えられると記憶したマップから対応する開速度閾値Ｖａｒｅｆを導出して行なうものとした。図４に開速度閾値設定用マップの一例を示す。図示するように、開速度閾値Ｖａｒｅｆは、車速Ｖが大きいほど小さくなる傾向に定められている。これは、車速Ｖが大きいほど急加速が要求される場合が少ないことに基づく。
【００２５】
次に、アクセル開度Ａｃｃを第１開度閾値Ａｃｃ１および第２開度閾値Ａｃｃ２と比較し（ステップＳ１４０）、アクセル開度Ａｃｃが第１開度閾値Ａｃｃ１未満のときには、アクセル開度Ａｃｃが十分小さいために車両のエネルギ効率的に良好な状態にあると判断して、フラグＦを値０にリセットし（ステップＳ１５０）、ＥＣＯインジケータ７１を点灯して（ステップＳ１８０）、本ルーチンを終了する。ここで、フラグＦは、値０のときにはアクセル開度Ａｃｃが十分小さいため又はアクセル操作が良好であるために車両の走行状態がエネルギ効率的に良好な状態にあることを示し、値１のときにはアクセル操作が良好でないか又はアクセル開度Ａｃｃが大き過ぎるかのいずれかとなった以降の状態であるために車両の走行状態がエネルギ効率的に良好でない状態にあることを示す。なお、ＥＣＯインジケータ７１の点灯は、既に点灯しているときには点灯の状態を継続する処理となる。
【００２６】
アクセル開度Ａｃｃが第２開度閾値Ａｒｅｆ２以上のときには、アクセル開度Ａｃｃが大き過ぎるために車両のエネルギ効率的に良好でない状態にあると判断し、フラグＦに値１をセットし（ステップＳ１９０）、ＥＣＯインジケータ７１を消灯して（ステップＳ２００）、本ルーチンを終了する。ここで、ＥＣＯインジケータ７１の消灯は、既に消灯しているときには消灯の状態を継続する処理となる。
【００２７】
アクセル開度Ａｃｃが第１開度閾値Ａｒｅｆ１以上で且つ第２開度閾値Ａｒｅｆ２未満のときには、フラグＦの値が値０であるか否かを判定する（ステップＳ１６０）。いま、運転者によるアクセルペダル６３の踏み込みによりアクセル開度Ａｃｃが第１開度閾値Ａｒｅｆ１を初めて超えて大きくなった場合を考えると、フラグＦの値は値０となっているから、この場合には、アクセル開速度Ｖａが開速度閾値Ｖａｒｅｆ未満であるか否かを判定する（ステップＳ１７０）。アクセル開速度Ｖａが開速度閾値Ｖａｒｅｆ未満のときには、アクセル操作が良好であるために車両の走行状態がエネルギ効率的に良好と判断し、ＥＣＯインジケータ７１の点灯を継続して（ステップＳ１８０）、本ルーチンを終了する。このとき、次回以降本ルーチンが実行されて連続してアクセル開度Ａｃｃが第１開度閾値Ａｒｅｆ１以上で且つ第２開度閾値Ａｒｅｆ２未満となったときには、フラグＦの値は値０であるからステップＳ１６０およびステップＳ１７０では共に肯定的な判定がなされ、ＥＣＯインジケータ７１の点灯を継続することになる。一方、アクセル開速度Ｖａが開速度閾値Ｖａｒｅｆ以上のときには、アクセル操作が良好でないために車両の走行状態がエネルギ効率的に良好でないと判断し、フラグＦに値１をセットすると共にＥＣＯインジケータ７１を消灯して（ステップＳ１９０，Ｓ２００）、本ルーチンを終了する。このとき、次回以降本ルーチンが実行されて連続してアクセル開度Ａｃｃが第１開度閾値Ａｒｅｆ１以上で且つ第２開度閾値Ａｒｅｆ２未満となったときには、フラグＦには値１がセットされているから、ステップＳ１６０では否定的な判定がなされることになる。
【００２８】
ステップＳ１６０でフラグＦの値が値１のときには、運転者によるアクセルペダル６３の踏み込みによりアクセル開度Ａｃｃが第１開度閾値Ａｒｅｆ１未満から第１開度閾値Ａｒｅｆ１以上で且つ第２開度閾値Ａｒｅｆ２未満となったときにアクセル操作が良好でないと判断された以降の状態であるか、又は、運転者によるアクセルペダル６３の踏み戻しによりアクセル開度Ａｃｃが第２開度閾値Ａｒｅｆ２以上の状態から第１開度閾値Ａｒｅｆ１以上で且つ第２開度閾値Ａｒｅｆ２未満の状態となった以降の状態であるから、アクセル開度Ａｃｃが第１開度閾値Ａｒｅｆ１未満に至るまでアクセルペダル６３が十分に踏み戻されていないために車両の走行状態がエネルギ効率的に良好でないと判断して、フラグＦにセットされた値１を保持すると共にＥＣＯインジケータ７１の消灯を継続して（ステップＳ１９０，Ｓ２００）、本ルーチンを終了する。
【００２９】
以上説明した実施例の自動車２０によれば、アクセル開度Ａｃｃが第１開度閾値Ａｒｅｆ１未満のときには車両の走行状態がエネルギ効率的に良好な状態にあると判断してＥＣＯインジケータ７１を点灯し、アクセル開度Ａｃｃが第２開度閾値Ａｒｅｆ２以上のときには車両の走行状態がエネルギ効率的に良好でないと判断してＥＣＯインジケータ７１を消灯し、アクセル開度Ａｃｃが第１開度閾値Ａｒｅｆ１以上で且つ第２開度閾値Ａｒｅｆ２未満のときにはアクセル開速度Ｖａが開速度閾値Ｖａｒｅｆ未満か否かによりＥＣＯインジケータ７１を点灯または消灯するから、車両の走行状態が良好な状態にあるか否かをより適切に判定して報知することができる。また、アクセル開度Ａｃｃと車速Ｖのみにより車両の走行状態の良否を判定するから、簡易な構成とすることができる。
【００３０】
実施例の自動車２０では、アクセル開度Ａｃｃが第２開度閾値Ａｒｅｆ２以上から第１開度閾値Ａｒｅｆ１以上で且つ第２開度閾値Ａｒｅｆ２未満となったときには、ＥＣＯインジケータ７１の消灯を継続するものとしたが、アクセル開速度Ｖａが開速度閾値Ｖａｒｅｆ未満であるか否かによりＥＣＯインジケータ７１を点灯または消灯するものとしてもよい。この場合、図２の走行状態判定処理ルーチンに代えて図５の走行状態判定処理ルーチンを実行するものとすればよい。図５の走行状態判定処理ルーチンでは、ステップＳ１９０の処理に代えてステップＳ３００の処理を行なう点を除いては図２の走行状態判定処理ルーチンと同一であるため、その図示を一部省略した。図５の処理では、アクセル開度Ａｃｃが第２開度閾値Ａｒｅｆ２以上から第１開度閾値Ａｒｅｆ１以上で且つ第２開度閾値Ａｒｅｆ２未満の状態に初めてなったときには、フラグＦの値が値０であるから、アクセル開速度Ｖａが開速度閾値Ｖａｒｅｆ未満であるか否かによりＥＣＯインジケータ７１を点灯または消灯する。このとき、アクセル開速度Ｖａが開速度閾値Ｖａｒｅｆ未満であると一旦判定されると、フラグＦに値１がセットされてＥＣＯインジケータ７１が消灯されるため（ステップＳ３００，Ｓ２００）、アクセル開度Ａｃｃが連続して第１開度閾値Ａｒｅｆ１以上で且つ第２開度閾値Ａｒｅｆ２未満となったときにはＥＣＯインジケータ７１の消灯を継続する。
【００３１】
実施例の自動車２０では、アクセル開度Ａｃｃを第１開度閾値Ａｃｃ１および第２開度閾値Ａｃｃ２と比較した後に、アクセル開度Ａｃｃが第１開度閾値Ａｒｅｆ１以上で且つ第２開度閾値Ａｒｅｆ２未満のときにはアクセル開速度Ｖａが開速度閾値Ｖａｒｅｆ未満か否かによりアクセル操作が良好か否かを判定して、アクセル操作の良否に応じてＥＣＯインジケータ７１を点灯または消灯するものとしたが、アクセル開速度Ｖａが開速度閾値Ｖａｒｅｆ未満か否かによりアクセル操作が良好か否かを判定した後に、アクセル操作の良否に応じてアクセル開度Ａｃｃを第１開度閾値Ａｃｃ１，第２開度閾値Ａｃｃ２と比較して、ＥＣＯインジケータ７１を点灯または消灯するものとしてもよい。この場合、図２の走行状態判定処理ルーチンに代えて図６の走行状態判定処理ルーチンを実行するものとすればよい。図６の走行状態判定処理ルーチンでは、ステップＳ１３０までの処理は図２の走行状態判定処理ルーチンのステップＳ１３０までの処理と同一であるため、その図示を一部省略した。図６の処理では、アクセル開速度Ｖａを計算して車速Ｖに基づいて開速度閾値Ｖａｒｅｆを設定すると、アクセル開速度Ｖａが開速度閾値Ｖａｒｅｆ未満であるか否かを判定する（ステップＳ４００）。アクセル開速度Ｖａが開速度閾値Ｖａｒｅｆ以上のときには、アクセル開度Ａｃｃが第１開度閾値Ａｒｅｆ１に至るまではＥＣＯインジケータ７１を点灯し（ステップＳ４２０，Ｓ４５０）、アクセル開度Ａｃｃが第１開度閾値Ａｒｅｆ１以上になるとＥＣＯインジケータ７１を消灯する（ステップＳ４２０，Ｓ４４０）。一方、アクセル開速度Ｖａが開速度閾値Ｖａｒｅｆ未満のときには、アクセル開度Ａｃｃが第２開度閾値Ａｒｅｆ２に至るまではＥＣＯインジケータ７１を点灯し（ステップＳ４１０，Ｓ４３０）、アクセル開度Ａｃｃが第２開度閾値Ａｒｅｆ２以上になるとＥＣＯインジケータ７１を消灯する（ステップＳ４１０，Ｓ４４０）。
【００３２】
実施例の自動車２０では、開速度閾値Ｖａｒｅｆを車速Ｖに基づいて開速度閾値設定用マップから導出し設定してアクセル開速度Ｖａと比較するものとしたが、開速度閾値Ｖａｒｅｆを車速Ｖに基づいて設定することなく、予め定めた所定の開速度閾値Ｖａｒｅｆを用いてアクセル開速度Ｖａと比較するものとしてもよい。
【００３３】
実施例の自動車２０では、第１開度閾値Ａｒｅｆ１と第２開度閾値Ａｒｅｆ２とを車速Ｖに基づいて開度閾値設定用マップから導出し設定してアクセル開度Ａｃｃと比較するものとしたが、第１開度閾値Ａｒｅｆ１と第２開度閾値Ａｒｅｆ２とを車速Ｖに基づいて設定することなく、予め定めた所定の第１開度閾値Ａｒｅｆ１と第２開度閾値Ａｒｅｆ２とを用いてアクセル開度Ａｃｃと比較するものとしてもよい。
【００３４】
実施例の自動車２０では、ＥＣＯインジケータ７１を車両の走行状態がエネルギ効率的に良好であるときに点灯すると共に不良であるときに消灯するものとしたが、ＥＣＯインジケータ７１に代えて浪費インジケータを備え、この浪費インジケータを車両の走行状態がエネルギ効率的に良好であるときに消灯すると共に不良であるときに点灯するものとしてもよい。また、実施例の自動車２０では、車両の走行状態がエネルギ効率的に良好であるか否かをＥＣＯの文字を点灯したり消灯したりすることにより運転者に報知するＥＣＯインジケータ７１を備えるものとしたが、車両の走行状態がエネルギ効率的に良好であるか否かを音声により運転者や乗員に報知する装置を備えるものとしてもよい。
【００３５】
実施例では、駆動軸３２にエンジン２２からの動力をオートマチックトランスミッション２４を介して出力する自動車２０に適用して説明したが、オートマチックトランスミッション２４は有段式であっても無段式であってもよい。また、モータからの動力により走行する電気自動車や、遊星歯車機構を介して出力されるエンジンおよび第１のモータからの動力や第２のモータからの動力により走行するハイブリッド自動車に適用するものとしてもよい。
【００３６】
ここで、実施例の主要な要素と課題を解決するための手段の欄に記載した発明の主要な要素との対応関係について説明する。実施例では、アクセル開度Ａｃｃを検出するアクセルペダルポジションセンサ６４が「アクセル操作量検出手段」に相当し、車速Ｖを検出する車速センサ６８が「車速検出手段」に相当し、アクセル開速度Ｖａが車速Ｖに基づいて設定された開速度閾値Ｖａｒｅｆ未満か否かによりアクセル操作が良好か否かを判定するＳ１３０，Ｓ１７０の処理を実行するメイン電子制御ユニット５０が「アクセル操作状態判定手段」に相当し、アクセル開度Ａｃｃが第１開度閾値Ａｒｅｆ１未満のときにＥＣＯインジケータ７１を点灯し、アクセル開度Ａｃｃが第２開度閾値Ａｒｅｆ２以上のときにＥＣＯインジケータ７１を消灯し、アクセル開度Ａｃｃが第１開度閾値Ａｒｅｆ１以上で且つ第２開度閾値Ａｒｅｆ２未満のときにアクセル開速度Ｖａが開速度閾値Ｖａｒｅｆ未満か否かによりＥＣＯインジケータ７１を点灯または消灯するＳ１４０〜Ｓ２００の処理を実行するメイン電子制御ユニット５０が「走行状態判定手段」に相当し、乗員室７０に取り付けられたＥＣＯインジケータ７１が「報知手段」に相当する。また、車速Ｖに基づいて第１開度閾値Ａｒｅｆ１と第２開度閾値Ａｒｅｆ２とを設定するＳ１１０の処理を実行するメイン電子制御ユニット５０が「操作量設定手段」に相当する。なお、実施例の要素と課題を解決するための手段の欄に記載した発明の要素との対応関係は、実施例が課題を解決するための手段の欄に記載した発明を実施するための最良の形態を具体的に説明するための一例であることから、実施例の要素をもって課題を解決するための手段の欄に記載した発明の要素を限定するものではない。即ち、課題を解決するための手段の欄に記載した発明のついての解釈はその欄の記載に基づいて行なわれるべきものであり、実施例は課題を解決するための手段の欄に記載した発明の具体的な一例に過ぎないものである。
【００３７】
実施例では、自動車２０に適用して説明したが、列車などの自動車以外の車両に適用するものとのしてもよいし、自動車や列車を含む車両の走行状態判定方法の形態としても構わない。
【００３８】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３９】
本発明は、車両の製造産業などに利用可能である。
【図面の簡単な説明】
【００４０】
【図１】本発明の一実施例である自動車２０の構成の概略を示す構成図である。
【図２】実施例のメイン電子制御ユニット５０により実行される走行状態判定処理ルーチンの一例を示すフローチャートである。
【図３】開度閾値設定用マップの一例を示す説明図である。
【図４】開速度閾値設定用マップの一例を示す説明図である。
【図５】変形例のメイン電子制御ユニット５０により実行される走行状態判定処理ルーチンの一例を示すフローチャートである。
【図６】変形例のメイン電子制御ユニット５０により実行される走行状態判定処理ルーチンの一例を示すフローチャートである。
【符号の説明】
【００４１】
２０  電気自動車、２２  エンジン、２４  オートマチックトランスミッション、３２  駆動軸、３３  デファレンシャルギヤ、３４ａ，３４ｂ  駆動輪、５０  メイン電子制御ユニット、５２  ＣＰＵ、５４  ＲＯＭ、５６  ＲＡＭ、６１  シフトレバー、６２  シフトポジションセンサ、６３  アクセルペダル、６４  アクセルペダルポジションセンサ、６５  ブレーキペダル、６６  ブレーキペダルポジションセンサ、６７  イグニッションスイッチ、６８  車速センサ、７０  乗員室、７１  ＥＣＯインジケータ。
【図１】
2008055949.tif 000003
【図２】
2008055949.tif 000004
【図３】
2008055949.tif 000005
【図４】
2008055949.tif 000006
【図５】
2008055949.tif 000007
【図６】
2008055949.tif 000008